(57)【特許請求の範囲】
【請求項１】
粘稠な内容物を充填する可撓性又は柔軟性容器の口部に装着される排出口を有したキャップ装置において、
蓋面に固定形状の排出口として機能する少なくとも一のアウトプット開口を形設した内栓キャップ部材と、該内栓キャップ部材の概略上半部に回動可能に被冠され、蓋面に各別に機能する複数のアウトプット開口を形設した外栓キャップ部材を具備し、
内栓キャップ部材が、蓋面の直径方向に中心部で断絶する断続スリットを設け、該断続スリット線上の中心からの点対称位置に対向形成され、各断続スリット端又は側縁の一部を拡開した切欠き部を設けて、それぞれ固定形状の排出口として機能するアウトプット開口を形設するとともに、該アウトプット開口に至るキャップ内空間を先細に絞った内容物の排出流路を形設し、キャップ基端の内壁には容器の口部に適合する取着手段を設けたものであり、
外栓キャップ部材が、蓋面の直径方向に中心で交差するスリットと細孔を列設した点列孔をそれぞれ設け、かつ、前記スリット線上の中心からの点対称位置に対向形成され、該スリットの側縁の一部をそれぞれ拡開した切欠き部を設けて、各別に機能する複数のアウトプット開口を形設し、キャップ基端の内壁には前記内栓キャップの外周に適合する冠着手段を設けたものであり、
前記外栓キャップ部材のアウトプット開口のそれぞれを、異なる回動位置で前記内栓キャップ部材のアウトプット開口と一致又は整合可能に配設したことを特徴とする排出切替式キャップ装置。
【請求項２】
請求項１記載の排出切替式キャップ装置において、外栓キャップ部材を回動操作することにより、内栓キャップ部材と協働して排出流路のアウトプット開口を切替え、前記外栓キャップ部材のアウトプット開口の形状に基づき内容物の排出量又は排出形状を変更可能で、不一致又は不整合位置では前記内栓キャップ部材の蓋面と前記外栓キャップ部材の蓋内面を密着状態において内容物の排出流路を栓封可能な排出切替え機構を有したことを特徴とする排出切替式キャップ装置。
【請求項３】
粘稠な内容物を充填する可撓性又は柔軟性容器の口部に装着され、蓋面に少なくとも一のアウトプット開口を形設した内栓キャップ部材と、該内栓キャップ部材の概略上半部に回動可能に被冠され、蓋面に形状の異なる複数のアウトプット開口を形設した外栓キャップ部材を具備し、前記外栓キャップ部材の各アウトプット開口を、異なる回動位置で前記内栓キャップ部材のアウトプット開口と一致又は整合可能に配設してなる排出切替式キャップ装置において、
前記内栓キャップ部材が、蓋面の直径方向に中心部で断絶する断続スリットを設け、中心部側の各断続スリット端を拡開した切欠き部を設けて、それぞれ固定形状の排出口として機能するアウトプット開口を形設するとともに、キャップ基端の内壁には容器の口部に適合する取着手段を設けたものであり、
前記外栓キャップ部材が、蓋面の直径方向に中心で交差するスリットと細孔を列設した点列孔をそれぞれ設け、前記スリット線上の中心からの点対称位置に対向形成した切欠き穿孔を設け、これらと離隔した周縁近傍の蓋面内に少なくとも１個の単孔を設けて、各別に機能する複数のアウトプット開口を形設し、キャップ基端の内壁には前記内栓キャップの外周に適合する冠着手段を設けたものであり、
前記外栓キャップ部材を回動操作することにより、前記内栓キャップ部材との間で協働的に内容物の排出流路のアウトプット開口を切替え、排出量又は排出形状を変更するようにしたことを特徴とする排出切替式キャップ装置。
【請求項４】
粘稠な内容物を充填した可撓性又は柔軟性容器の口部に装着される排出口を有したキャップ装置において、
蓋面に固定形状の排出口として機能する少なくとも一のアウトプット開口を形設した内栓キャップ部材と、該内栓キャップ部材の概略上半部に回動可能に被冠され、蓋面に各別に機能する複数のアウトプット開口を形設した外栓キャップ部材を具備した排出切替式キャップ装置であって、
前記内栓キャップ部材が、蓋面の直径方向に中心部で断絶する断続スリットを形設し、かつ、中心部側の各断続スリット端を拡開した切欠き部を形設するとともに、キャップ基端の内壁には容器の口部に適合する取着手段を設けたものであり、
前記外栓キャップ部材が、蓋面の直径方向に中心で交差するスリットと細孔を列設した点列孔をそれぞれ形設し、前記スリット線上の中心からの点対称位置に対向形成した切欠き穿孔を形設し、これらと離隔した周縁近傍の蓋面内に少なくとも１個の単孔を形設するとともに、キャップ基端の内壁には前記内栓キャップ部材の外周に適合する冠着手段を設けたものであり、
前記内栓キャップ部材の断続スリット及び切欠き部からなるアウトプット開口に対し、前記外栓キャップ部材のスリット、点列孔、切欠き穿孔及び単孔からなる各アウトプット開口をそれぞれ異なる回動位置で一致又は整合可能に配設し、
前記外栓キャップ部材を回動操作することにより、前記内栓キャップ部材と協働して排出流路のアウトプット開口を切替え、前記外栓キャップ部材のアウトプット開口の形状に基づき内容物の排出量又は排出形状を変更可能で、不一致又は不整合位置では前記内栓キャップ部材の蓋面と前記外栓キャップ部材の蓋内面を密着状態において内容物の排出流路を栓封可能な排出切替え機構
を有したことを特徴とする排出切替式キャップ装置。
【請求項５】
外栓キャップ部材の各アウトプット開口が口縁部にエッジ又は口唇を凸設したものである請求項１乃至４のいずれか１項記載の排出切替式キャップ装置。
【請求項６】
内栓キャップ部材の外周面に、各アウトプット開口に対応するそれぞれの排出形態を示す標示又は標識を設け、外栓キャップ部材の外周面には回動マーカーを設け、該回動マーカーと前記標示又は標識を一致させることにより、選択された排出形態を表示するようにした請求項１乃至４のいずれか１項記載の排出切替式キャップ装置。
【請求項７】
外栓キャップ部材の蓋面を被覆する脱着可能な衛生保護キャップを有した請求項１乃至４のいずれか１項記載の排出切替式キャップ装置。
【請求項８】
衛生保護キャップの蓋面が、その周縁を拡径又は延長したフランジ部を有し、装着により、容器を逆立させて自立可能に形成したものである請求項７記載の排出切替式キャップ装置。
【発明の詳細な説明】
技術分野
本発明は、マヨネーズ、ケチャップ、お好み焼きソース、とんかつソース、蜂蜜、練りからし、練りわさび、ソフトマーガリンその他の粘稠な内容物を充填する可撓性又は柔軟性容器の口部に装着される排出口を有したキャップ装置に係り、詳しくは、蓋面に少なくとも一のアウトプット開口を形設した内栓キャップ部材と、該内栓キャップ部材の概略上半部に回動可能に被冠され、蓋面に形状の異なる複数のアウトプット開口を形設した外栓キャップ部材からなる二重構造により、協働的に排出流路のアウトプット開口を切替え可能で内容物の排出量又は排出形状を変更可能とした排出切替式キャップ装置に関する。
ここで、アウトプット開口は、内容物の排出流路の開放端として形設された排出口を言うものとする。また、排出量又は排出形状は、排出形態と互換的に使用する。なお、キャップ装置は、当然に衛生保護キャップ（カバーキャップ）を付帯又は付属する場合がある。
背景技術
従来より、マヨネーズ等の粘稠な内容物を充填した可撓性又は柔軟性容器の蓋（キャップ装置）は、卑近なところでは、蓋面に排出口（アウトプット開口）を形設した内キャップを有し、蓋面保護のために外キャップ（衛生保護キャップ）を被冠したものである。
ここで、排出口は固定的な円形又は星形が一般的であり、当然のことながら圧排される内容物の排出形状も定形に近い。
ところで、粉状や粒状の調味料を内容物とする振り出し容器の蓋には、大小異なる排出口を有し、外キャップを回動させて開閉し、かつ、排出量を切替えるようにしたものがある。
しかしながら、マヨネーズ等の粘稠な内容物に対する排出切替えを手段構成した蓋（キャップ装置）は見あたらない。
こうしたなかで、お好み焼きやサラダやとんかつなどにマヨネーズやソースをかけようとするとき、平板状や糸状にかけるといった排出形態が望まれることがあるが、こうした場合には刷毛で塗るとか、やや高所から振りかける（注ぐ）といった操作により間に合わせてきた。
ところで、市販のマヨネーズ等の容器の既設蓋はねじ式であるものが多く、これを取り外して排出切替え可能な複数の排出口を有するキャップ装置に付け替えると、数種類の排出形態が選択できるという利便性があり、容易に上記所望が叶うというメリットを獲得できるはずである。
ここで、容量により容器の口部の口径が異なる場合は、例えば内外面に螺子を切ったナット状のリングスペーサーを使用すればよいであろう。〔後述〕
本発明はこのような事情に鑑みなされたものであって、内栓キャップ部材と外栓キャップ部材の二重構造からなる新たなキャップ構造により、協働的にアウトプット開口を切替え可能で内容物の排出量又は排出形状を変更可能とした排出切替式キャップ装置を提案するものである。
また、マヨネーズ等の容器の既設蓋に代替して付け替え容易で多目的の排出形態を選択できる厨房用付属品としての物品性を有した排出切替式キャップ装置を提案するものである。
発明の開示
本発明は、粘稠な内容物を充填する可撓性又は柔軟性容器の口部に装着され、蓋面に少なくとも一の固定的に機能するアウトプット開口を形設した内栓キャップ部材と、該内栓キャップ部材の概略上半部に回動可能に被冠され、蓋面に形状が異なり各別に機能する複数のアウトプット開口を形設した外栓キャップ部材を具備し、前記外栓キャップ部材のアウトプット開口を、異なる回動位置で前記内栓キャップ部材のアウトプット開口と一致又は整合可能に配設した排出切替式キャップ装置である。
そして、前記外栓キャップ部材を回動操作することにより、前記内栓キャップ部材との間で協働的に内容物の排出流路のアウトプット開口を切替え、排出量又は排出形状を変更可能とするとともに、不一致又は不整合位置では、前記内栓キャップ部材の蓋面と前記外栓キャップ部材の蓋内面を密着状態において栓封可能とする排出切替え機構を有するものとしている。
発明を実施するための最良の形態
本発明を実施するための最良の形態は、上記構成において、内栓キャップ部材は、蓋面の直径方向に中心部で断絶する断続スリットを設けている。また、断続スリット線上の中心からの点対称位置に対向形成され、後述の第１実施例の如く各断続スリットの側縁の一部、又は後述の第２実施例の如く中心部側の各断続スリット端を拡開した切欠き部を設けている。これらは、それぞれ固定的に機能するアウトプット開口を構成する。さらに、キャップ基端の内壁には容器の口部に適合する取着手段を設けている。
なお、切欠き部を含む断続スリット（アウトプット開口）に至るキャップ内空間を先細に絞って内容物の排出流路を形設する場合がある。〔後述の第１実施例〕
外栓キャップ部材は、蓋面の直径方向に中心で交差するスリットと細孔を列設した点列孔をそれぞれ設けている。また、スリット線上の中心からの点対称位置に対向形成され、後述の第１実施例の如く該スリットの側縁の一部を拡開した切欠き部、又は後述の第２実施例の如く穿孔形成した切欠き孔を設けている。これらは、各別に機能する複数のアウトプット開口を構成する。さらに、キャップ基端の内壁には内栓キャップの外周に適合する冠着手段を設ている。
なお、スリット、点列孔、及び切欠き部（孔）と離隔した蓋面内の周縁近傍に少なくとも１個の単孔を増設する場合がある。〔後述の第２実施例〕
排出切替え機構は、固定的な内栓キャップ部材のアウトプット開口に対し、外栓キャップ部材のアウトプット開口は、外栓キャップ部材を回動操作することにより、それぞれ異なる回動位置で一致又は整合可能に配設されており、内栓キャップ部材と協働して排出流路のアウトプット開口を切替え可能で、内容物の排出量又は排出形状を変更可能とする。当然のことながら、不一致又は不整合位置では、内栓キャップ部材の蓋面と外栓キャップ部材の蓋内面を密着状態において内容物の排出流路を栓封可能とする。
ここで、外栓キャップ部材の各アウトプット開口は口縁部にエッジ又は口唇を凸設するのが好ましい。これにより排出時に内容物が滞留（付着）するのを防止して、スムーズな流動排出が可能となる。
また、内栓キャップ部材の外周面に、各アウトプット開口に対応するそれぞれの排出形態を示す標示又は標識を設け、外栓キャップ部材の外周面には回動マーカーを設け、該回動マーカーと前記標示又は標識を一致させることにより、選択された排出形態を表示することが望まれる。使用上の利便性が増補されるからである。
さらに、外栓キャップ部材の蓋面を被覆する脱着可能な衛生保護キャップを有したものとすることを推奨する。この場合、衛生保護キャップの蓋面が、その周縁を拡径又は延長したフランジ部を有したものとし、装着により、容器を逆立させて自立可能に形成するのが好ましい。不使用時の収納が容易であり、再使用時に内容物の残量が少なくなっていても、圧排が容易だからである。
（実施例１）
本発明の一実施例（以下、第１実施例。）について添付図面を参照しながら以下説明する。
第１図及び第２図に示すように、本実施例のキャップ装置は、粘稠な内容物を充填した可撓性又は柔軟性容器６の口部に装着される排出口を有した排出切替式キャップ装置Ｘであって、内栓キャップ部材１と、該内栓キャップ部材１の概略上半部に回動可能に被冠される外栓キャップ部材２からなるものである。
内栓キャップ部材１は、蓋面の直径方向に中心部で断絶する断続スリット１１を形設するとともに、該断続スリット１１に至るキャップ内空間を先細に絞って一方向断面視概略Ａ形に斜面形成した内容物の排出流路Ｆを形設し、かつ、断続スリット１１線上の中心からの点対称位置に対向形成され、各断続スリット１１の側縁（排出流路Ｆのアウトプット開口に同じ。）の一部をそれぞれ拡開した切欠き部１２を形設し、キャップ基端の内壁には容器の口部に適合する取着手段３を設けたものである。
市販の容器口部と排出キャップは螺合のものが多いので、一般的な取着手段３は螺着であり、キャップ基端の内壁には螺子切り３１をしておけばよい。
外栓キャップ部材２は、蓋面の直径方向に中心で交差するスリット２１と細孔を列設した点列孔２３をそれぞれ形設し、かつ、スリット２１線上の中心からの点対称位置に対向形成され、該スリット２１の側縁の一部をそれぞれ拡開した切欠き部２２を形設し、キャップ基端の内壁には内栓キャップ部材１の外周に適合する冠着手段４を設けたものである。
一般的な冠着手段４は、内栓キャップ部材１の外周に摺動溝４１を形設し、これに適合するキャップ基端の内壁には突起又は内向きフランジ４２を設けて、回動可能に嵌着するようにすればよい。なお、あわせて位置決め用の突起４３を付設するのが好ましい。
そして、内栓キャップ部材１の断続スリット１１及び切欠き部１２と、外栓キャップ部材２のスリット２１、点列孔２３及び切欠き部２２を、外栓キャップ部材２の回動によりそれぞれ異なる回動位置で一致又は整合可能に配設し、不一致又は不整合位置では内栓キャップ部材１の蓋面と外栓キャップ部材２の蓋内面を密着状態において内容物の排出流路Ｆを栓封するとともに、外栓キャップ部材２を回動操作することにより、内栓キャップ部材１と協働して排出流路Ｆのアウトプット開口を切替え可能で、内容物の排出量又は排出形状を変更可能な排出切替え機構を有するものとしている。
なお、排出流路Ｆの断面内に複数の棒状体を渡架し〔第２図〕、内容物の流れを分散するようにしている。但し、不可欠な要素というわけではない。
第３図に、排出切替えの一態様（平板状の排出形態）を示す。（ａ）が斜視説明図、（ｂ）が平面視模式説明図、及び（ｃ）が排出形態模式説明図である。ここで、斜視説明図（ａ）においては、説明の理解を援けるために断続スリット１１（内栓）とスリット２１（外栓）の位置関係を明示している。
図示するように、外栓キャップ部材２を回動操作することにより、外栓キャップ部材２のスリット２１と内栓キャップ部材１の断続スリット１１のそれぞれを一致させたアウトプット開口を選択する。
そこで、容器に外圧を加えて内容物を押し出す（圧排）すると、内容物はスリット２１（１１）から平板状に排出されるので、お好み焼きやパンなどの平面上に薄く平たく塗ることができる。
第４図に、排出切替えの他の態様（従来的な容量での排出形態）を示す。（ａ）が斜視説明図、（ｂ）が平面視模式説明図、及び（ｃ）が排出形態模式説明図である。ここで、斜視説明図（ａ）においては、説明の理解を援けるために内栓と外栓の各切欠き部１２、２２の位置関係を明示している。
図示するように、外栓キャップ部材２を回動操作することにより、外栓キャップ部材２と内栓キャップ部材１のそれぞれの切欠き部２２，１２を一致させたアウトプット開口を選択する。
そこで、容器に外圧を加えて内容物を押し出す（圧排）すると、内容物は切欠き部２２（１２）及びこれを繋ぐスリット２１（１１）から厚肉状に従来的な容量で排出される。
第５図に、排出切替えの他の態様（糸状の排出形態）を示す。（ａ）が斜視説明図、（ｂ）が平面視模式説明図、及び（ｃ）が排出形態模式説明図である。ここで、斜視説明図（ａ）においては、説明の理解を援けるために点列孔２３（外栓）と断続スリット１１（内栓）との位置関係を明示している。
図示するように、外栓キャップ部材２を回動操作することにより、外栓キャップ部材２の点列孔２３と内栓キャップ部材１のスリット１１を一致させたアウトプット開口を選択する。
そこで、容器に外圧を加えて内容物を押し出す（圧排）すると、内容物は内栓キャップ部材１の断続スリット１１を介して点列孔２３（外栓）からから糸状に排出される。
一方、排出を要しないときは、外栓キャップ部材２を回動操作することにより、外栓キャップ部材２の各アウトプット開口（２１，２２，２３）が内栓キャップ部材１のアウトプット開口（１１，１２）と不一致又は不整合となる位置に置き、内栓キャップ部材１の蓋面と外栓キャップ部材２の蓋内面を密着状態において内容物の排出流路Ｆを栓封する。
なお、外栓キャップ部材２の蓋面を衛生的に保護するために衛生保護キャップ５を嵌めるようにしている。第６図に不使用時の栓封状態を示す。
（実施例２）
本発明の他の実施例（以下、第２実施例。）について添付図面を参照しながら詳細を説明する。
第７図〜第１０図に示すように、本実施例のキャップ装置は、粘稠な内容物を充填した可撓性又は柔軟性容器６の口部に装着される排出口を有した排出切替式キャップ装置Ｘであって、蓋面に少なくとも一のアウトプット開口を形設した内栓キャップ部材１と、該内栓キャップ部材１の概略上半部に回動可能に被冠され、蓋面に形状の異なる複数のアウトプット開口を形設した外栓キャップ部材２を具備している。
外栓キャップ部材２は、蓋面の直径方向に中心で交差するスリット２１と細孔を列設した点列孔２３、スリット２１線上の中心からの点対称位置に対向形成した切欠き穿孔２２をそれぞれ設けるとともに、これらと離隔した蓋面内の周縁近傍に少なくとも１個の単孔２４を設け、各別に機能する複数のアウトプット開口を形成している。なお、切欠き穿孔２２は、第１実施例と同様に、スリット２１の側縁の一部を拡開した切欠き部２２を形設するものとしてもよい。
ここで、スリット２１、点列孔２３、切欠き穿孔２２及び単孔２４からなる各アウトプット開口には口縁部にエッジ又は口唇２５を凸設している。
また、キャップ基端の内壁には内栓キャップ部材１の外周に適合する冠着手段４を設けている。〔第７図〕
一般的な冠着手段４は、第１実施例と同様に、内栓キャップ部材１の外周に摺動溝を形設し、これに適合するキャップ基端の内壁には突起又は内向きフランジを設けて、回動可能に嵌着するように構成すればよい。なお、あわせて位置決め用の突起を付設することも考慮される。〔図示省略〕
内栓キャップ部材１は、蓋面の直径方向に中心部で断絶する断続スリット１１を設け、中心部側の各断続スリット１１端を拡開した切欠き部１２を設けて、それぞれ固定的に機能するアウトプット開口を形成している。また、キャップ１基端の内壁には容器の口部に適合する取着手段３を設けている。〔第８図〕
市販の容器口部と排出キャップは螺合のものが多いので、一般的な取着手段３は螺着であり、キャップ基端の内壁には螺子切り３１をしておけばよい。また、内外面に螺子を切ったナット状のリングスペーサー〔図示省略〕を付属品とし、容量により容器の口部の口径が異なる場合に装着使用すれば、１つのキャップ装置を汎用できる。
また、内栓キャップ部材１の外周面に、スリット、点列、切欠き、及び単孔の各アウトプット開口（２１，２３，２２，２４）に対応するそれぞれの排出形態を示す標示又は標識７（７１，７３，７２，７４）を設け、外栓キャップ部材２の外周面には回動マーカー８を設け、該回動マーカー８と前記標示又は標識７（７１，７２，７３，７４）のいずれかを一致させることにより、選択された排出形態を表示するようにしている。
そして、内栓キャップ部材１の断続スリット１１及び切欠き部１２に対し、外栓キャップ部材２のスリット２１、点列孔２３、切欠き穿孔２２及び単孔２４を、外栓キャップ部材２を回動操作することによりそれぞれ異なる回動位置で一致又は整合可能に配設し、不一致又は不整合位置では内栓キャップ部材１の蓋面と外栓キャップ部材２の蓋内面を密着状態において内容物の排出流路Ｆを栓封するとともに、外栓キャップ部材２を回動操作することにより、内栓キャップ部材１と協働して排出流路Ｆのアウトプット開口を切替え可能で、内容物の排出量又は排出形状を変更可能な排出切替え機構を有するものとしている。
さらに、外栓キャップ部材２の蓋面を被覆する脱着可能な衛生保護キャップ５を有して一式構成する。〔第９図、第１０図〕ここで、衛生保護キャップ５は、その蓋面の周縁を拡径又は延長したフランジ部５１を有し、装着により、容器６を逆立させて自立可能に形成されている。第１１図に不使用時又は収納時の栓封自立状態を示す。
第１２図に、排出切替えの一態様（平板状の排出形態）を示す。（ａ）が斜視説明図、（ｂ）が正面視説明図、（ｃ）が平面視模式説明図、及び（ｄ）が排出形態模式説明図である。ここで、斜視説明図（ａ）においては、説明の理解を援けるために外栓のスリット２１及び内栓の断続スリット１１の位置関係を明示している。
図示するように、外栓キャップ部材２を回動操作することにより、外栓キャップ部材２と内栓キャップ部材１のそれぞれのスリット２１，１１を一致させたアウトプット開口を選択する。
そこで、容器に外圧を加えて内容物を押し出す（圧排）すると、内容物はスリット２１（１１）から平板状に排出されるので、お好み焼きやパンなどの平面上に薄く平たく塗ることができる。
第１３図に、排出切替えの他の態様（従来的な容量での排出形態）を示す。（ａ）が斜視説明図、（ｂ）が正面視説明図、（ｃ）が平面視模式説明図、及び（ｄ）が排出形態模式説明図である。ここで、斜視説明図（ａ）においては、説明の理解を援けるために切欠き部２２（外栓）と切欠き部１２及び断続スリット１１（内栓）との位置関係を明示している。
図示するように、外栓キャップ部材２を回動操作することにより、外栓キャップ部材２と内栓キャップ部材１のそれぞれの切欠き部２２，１２を一致させたアウトプット開口を選択する。
そこで、容器に外圧を加えて内容物を押し出す（圧排）すると、内容物は内栓キャップ部材１の切欠き部１２及び断続スリット１１を介して外栓キャップ部材２の切欠き部２２及びこれを繋ぐスリット２１から厚肉状に従来的な容量で排出される。
第１４図に、排出切替えの他の態様（多糸状の排出形態）を示す。（ａ）が斜視説明図、（ｂ）が正面視説明図、（ｃ）が平面視模式説明図、及び（ｄ）が排出形態模式説明図である。ここで、斜視説明図（ａ）においては、説明の理解を援けるために点列孔２３（外栓）と断続スリット１１（内栓）との位置関係を明示している。
図示するように、外栓キャップ部材２を回動操作することにより、外栓キャップ部材２の点列孔２３と内栓キャップ部材１の断続スリット１１を一致させたアウトプット開口を選択する。
そこで、容器に外圧を加えて内容物を押し出す（圧排）すると、内容物は内栓キャップ部材１の断続スリット１１を介して点列孔２３からから多糸状に排出される。
第１５図に、排出切替えの他の態様（単糸状の排出形態）を示す。（ａ）が斜視説明図、（ｂ）が正面視説明図、（ｃ）が平面視模式説明図、及び（ｄ）が排出形態模式説明図である。ここで、斜視説明図（ａ）においては、説明の理解を援けるために単孔２４（外栓）と断続スリット１１（内栓）との位置関係を明示している。
図示するように、外栓キャップ部材２を回動操作することにより、外栓キャップ部材２の単孔２４と内栓キャップ部材１の断続スリット１１を一致させたアウトプット開口を選択する。
そこで、容器に外圧を加えて内容物を押し出す（圧排）すると、内容物は内栓キャップ部材１の断続スリット１１を介して外栓キャップ部材２の単孔２４からから単糸状に排出される。
一方、排出を要しないときは、外栓キャップ部材２を回動操作することにより、外栓キャップ部材２の各アウトプット開口（２１，２２，２３，２４）が内栓キャップ部材１のアウトプット開口（１１，１２）と不一致又は不整合となる位置に置き、内栓キャップ部材１の蓋面と外栓キャップ部材２の蓋内面を密着状態において内容物の排出流路Ｆを栓封する。
また、衛生保護キャップ５を装着することにより、容器６を逆立させて自立可能であり、不使用時や収納時に便利である。〔第１１図〕
産業上の利用可能性
本発明は以上の構成よりなるものであり、これによれば外栓キャップ部材を回動操作することにより、内栓キャップ部材との間で協働的にアウトプット開口を切替え可能で内容物の排出量又は排出形状を変更可能としているので、使用目的に応じて所望の排出形態を選択できるという利便性を有する。
また、マヨネーズ等の容器の既設蓋に代替して付け替え容易であり、しかも洗浄により衛生的に反復使用できるので、厨房用付属品又は備品として有用である。
【図面の簡単な説明】
第１図は、第１実施例キャップ装置における（ａ）外栓キャップ部材及び（ｂ）内栓キャップ部材の各斜視図である。
第２図は、第１図における（ａ）Ａ−Ａ矢視、（ｂ）Ｂ−Ｂ矢視、及び（ｃ）Ｃ−Ｃ矢視のそれぞれ断面視説明図である。
第３図は、排出切替えの一態様（平板状の排出形態）を示す（ａ）斜視説明図、（ｂ）平面視模式説明図、及び（ｃ）排出形態模式説明図である。
第４図は、排出切替えの他の態様（従来的な容量での排出形態）を示す（ａ）斜視説明図、（ｂ）平面視模式説明図、及び（ｃ）排出形態模式説明図である。
第５図は、排出切替えの他の態様（糸状の排出形態）を示す（ａ）斜視説明図、（ｂ）平面視模式説明図、及び（ｃ）排出形態模式説明図である。
第６図は、不使用時の栓封状態を示す全体説明図である。
第７図は、第２実施例キャップ装置における外栓キャップ部材の（ａ）斜視図、及びＡ−Ａ断面視説明図である。
第８図は、同じく、内栓キャップ部材の（ａ）斜視図、及びＢ−Ｂ断面視説明図である。
第９図は、同じく、衛生保護キャップの（ａ）斜視図、及び（ｂ）Ｃ−Ｃ断面視説明図である。
第１０図は、第２実施例キャップ装置の断面視取付説明図である。
第１１図は、衛生保護キャップを用いた栓封自立状態（不使用時又は収納時）を示す全体説明図である。
第１２図は、排出切替えの一態様（平板状の排出形態）を示す（ａ）斜視説明図、（ｂ）正面視説明図、（ｃ）平面視説明図、及び（ｄ）排出形態模式説明図である。
第１３図は、排出切替えの他の態様（従来的な容量での排出形態）を示す（ａ）斜視説明図、（ｂ）正面視説明図、（ｃ）平面視説明図、及び（ｄ）排出形態模式説明図である。
第１４図は、排出切替えの他の態様（多糸状の排出形態）を示す（ａ）斜視説明図、（ｂ）正面視説明図、（ｃ）平面視説明図、及び（ｄ）排出形態模式説明図である。
第１５図は、排出切替えの他の態様（単糸状の排出形態）を示す（ａ）斜視説明図、（ｂ）正面視説明図、（ｃ）平面視説明図、及び（ｄ）排出形態模式説明図である。
参考までに、図面中で用いた符号の説明を以下に列挙しておく。これらの符号は、後述の実施例記載の中で付記的に使用される。なお、第１及び第２実施例において共通する構成要素については同一符号を付している。
１  内栓キャップ部材
１１  断続スリット〔アウトプット開口〕
１２  切欠き部〔アウトプット開口〕
２  外栓キャップ部材
２１  スリット〔アウトプット開口〕
２２  切欠き穿孔〔アウトプット開口〕
２３  点列孔〔アウトプット開口〕
２４  単孔〔アウトプット開口〕
２５  エッジ又は口唇
３  取着手段
３１  螺子切り
４  冠着手段
４１  嵌合溝〔内栓キャップ部材〕
４２  突起又は内向きフランジ〔外栓キャップ部材〕
４３  位置決め用突起
５  衛生保護キャップ
５１  フランジ部
６  容器
７  標示又は標識
７１  スリット（平板状の排出形態）
７２  切欠き（従来的な容量での排出形態）
７３  点列孔（多糸状の排出形態）
７４  単孔（単糸状の排出形態）
８  回動マーカー
Ｆ  排出流路
Ｘ  排出切替式キャップ装置
【図１】
0004081607.tif 000002
【図２】
0004081607.tif 000003
【図３】
0004081607.tif 000004
【図４】
0004081607.tif 000005
【図５】
0004081607.tif 000006
【図６】
0004081607.tif 000007
【図７】
0004081607.tif 000008
【図８】
0004081607.tif 000009
【図９】
0004081607.tif 000010
【図１０】
0004081607.tif 000011
【図１１】
0004081607.tif 000012
【図１２】
0004081607.tif 000013
【図１３】
0004081607.tif 000014
【図１４】
0004081607.tif 000015
【図１５】
0004081607.tif 000016